【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
投影面を提供するために水を使用する３Ｄディスプレイシステムであって、
ある容積の供給水を水液滴のスクリーンに変換するノズルを備える投影スクリーン生成組立体であって、前記スクリーンは、観察エリアに向く前面および対向する後面を有する、投影スクリーン生成組立体と、
前記後面上に３Ｄコンテンツを投影するために、前記投影スクリーン生成組立体と少なくとも部分的に同時に動作する投影組立体とを備え、
前記投影組立体は、左目画像のストリームを投影する第１の投影器および右目画像のストリームを投影する第２の投影器を備え、前記投影される３Ｄコンテンツは前記左目および右目の画像を含み、
前記第１の投影器は第１の干渉フィルタを含み、前記第２の投影器は、前記第１の干渉フィルタと異なる第２の干渉フィルタを含み、それにより、前記左目および右目の画像は、可視カラースペクトルの異なる帯域を持って、前記後面に同時に提示される、ディスプレイシステム。
【請求項２】
前記観察エリアにおいて観者に提供される３Ｄメガネをさらに備え、前記３Ｄメガネはそれぞれ、前記第１の干渉フィルタによってフィルタリングされた画像を通すように構成された干渉フィルタを備える左レンズ、および、前記第２の干渉フィルタによってフィルタリングされた画像を通すように構成された干渉フィルタを備える右レンズを含む請求項１に記載のディスプレイシステム。
【請求項３】
前記第１および第２の投影器は、少なくとも１０，０００ルーメンの輝度レベルで前記左目および右目の画像を投影する請求項１に記載のディスプレイシステム。
【請求項４】
前記ノズルは、実質的に鉛直である、水の実質的に平面のシートを形成するために、前記水液滴を上に吹き付けるように配置されたスクリーンジェットを備える請求項１に記載のディスプレイシステム。
【請求項５】
前記供給水は、少なくとも０．３４５ＭＰａ（５０ｐｓｉ）の圧力にあり、前記水の平面シートは、前記ノズルに近接する前記平面シートのベースで測定されると少なくとも７
６．２ｍｍ（３インチ）の厚さを有する請求項４に記載のディスプレイシステム。
【請求項６】
前記水液滴の少なくとも５０％は、１ミリメートル未満の外径を有する請求項４に記載のディスプレイシステム。
【請求項７】
投影面を提供するために水を使用する３Ｄディスプレイシステムであって、
ある容積の供給水を水液滴のスクリーンに変換するノズルを備える投影スクリーン生成組立体であって、前記スクリーンは、観察エリアに向く前面および対向する後面を有する、投影スクリーン生成組立体と、
前記後面上に３Ｄコンテンツを投影するために、前記投影スクリーン生成組立体と少なくとも部分的に同時に動作する投影組立体とを備え、
前記ノズルは、地面の上の少なくとも３．０４８メートル（１０フィート）の高さに配置された細長い分配多岐管を備え、前記分配多岐管は、前記スクリーンを形成するために地面に向かって前記水液滴を落とすために、地面に向く面上に複数の穴を備え、前記スクリーンは、前記地面に向く面に近接して測定されると、少なくとも２５．４ｍｍ（１インチ）の厚さを有する、ディスプレイシステム。
【請求項８】
水ベース投影装置であって、
ある容積の水を提供するように選択的に動作可能な水供給部と、
前記容積の水を受取り、応答して、霧を含む平面スクリーンを出力する霧発生器と、
左目および右目の画像のストリームを提供するメディアサーバと、
前記左目および右目の画像を処理し、応答して、前記霧スクリーンの面に３Ｄコンテンツを投影する投影システムとを備え、
前記霧発生器は、地面の上の少なくとも３．０４８メートル（１０フィート）の高さに配置された細長い分配多岐管を備え、前記分配多岐管は、前記スクリーンを形成するために地面に向かって前記水液滴を落とすために、地面に向く面上に複数の穴を備え、前記霧スクリーンは、前記地面に向く面に近接して測定されると、少なくとも２５．４ｍｍ（１インチ）の厚さを有する、装置。
【請求項９】
前記霧発生器は、鉛直の５°以内で前記霧スクリーンを出力するオリフィスを備える請求項８に記載の装置。
【請求項１０】
前記霧スクリーンは、少なくとも５０％が、外径が約１ミリメートル未満である微小液滴を含む請求項９に記載の装置。
【請求項１１】
前記投影システムは、前記左目画像を投影する第１の投影器および前記右目画像を投影する第２の投影器を備え、前記第１および第２の投影器はそれぞれ、前記３Ｄコンテンツを提供するために前記処理を実施する３Ｄ技術アダプタを含む請求項８に記載の装置。
【請求項１２】
前記３Ｄ技術アダプタは、第１の干渉フィルタおよび前記第１の干渉フィルタと異なる第２の干渉フィルタを備え、それにより、３Ｄ画像は、前記第１および第２の干渉フィルタに対応するレンズを備える３Ｄメガネを通して観察可能である請求項１１に記載の装置。
【請求項１３】
３Ｄディスプレイシステムであって、
ある容積の加圧された水を受取り、複数の微小水液滴を含む平面スクリーンを出力する霧発生器と、
前記水スクリーンの後面上に、３Ｄムービー用の左目画像のストリームを投影する第１の投影器と、
前記水スクリーンの後面上に、前記左目画像に対応する右目画像のストリームを同時に
投影する第２の投影器とを備え、前記第１の投影器は第１の干渉フィルタを含み、前記第２の投影器は、前記第１の干渉フィルタと異なる第２の干渉フィルタを含み、それにより、前記左目および右目の画像は、可視カラースペクトルの異なる帯域を持って、前記後面に同時に提示される、システム。
【請求項１４】
前記左目および右目の画像は、干渉フィルタを含むレンズを使用して別々に観察可能である請求項１３に記載のシステム。
【請求項１５】
前記霧発生器はスクリーンジェットを備え、前記加圧された水は少なくとも０．３４５ＭＰａ（５０ｐｓｉ）の圧力である請求項１３に記載のシステム。
【請求項１６】
前記スクリーンジェットは、１０００ミクロン未満の外径を有する、水液滴を生成するサイズにされた複数の開口を有する請求項１５に記載のシステム。
【請求項１７】
前記第１および第２の投影器はそれぞれ、少なくとも１００００ルーメンの輝度で前記投影された左目および右目の画像を提供する高輝度投影器を備える請求項１３に記載のシステム。
【請求項１８】
前記投影組立体は、左目画像のストリームを投影する第１の投影器および右目画像のストリームを投影する第２の投影器を備え、前記投影される３Ｄコンテンツは前記左目および右目の画像を含む請求項７に記載のディスプレイシステム。
【請求項１９】
前記第１の投影器は第１の干渉フィルタを含み、前記第２の投影器は、前記第１の干渉フィルタと異なる第２の干渉フィルタを含み、それにより、前記左目および右目の画像は、可視カラースペクトルの異なる帯域を持って、前記後面に同時に提示される請求項１８に記載のディスプレイシステム。
【請求項２０】
前記観察エリアにおいて観者に提供される３Ｄメガネをさらに備え、前記３Ｄメガネはそれぞれ、前記第１の干渉フィルタによってフィルタリングされた画像を通すように構成された干渉フィルタを備える左レンズ、および、前記第２の干渉フィルタによってフィルタリングされた画像を通すように構成された干渉フィルタを備える右レンズを含む請求項１９に記載のディスプレイシステム。
【請求項２１】
前記第１および第２の投影器は、少なくとも１０，０００ルーメンの輝度レベルで前記左目および右目の画像を投影する請求項１８に記載のディスプレイシステム。
【請求項２２】
前記ノズルは、実質的に鉛直である、水の実質的に平面のシートを形成するために、前記水液滴を上に吹き付けるように配置されたスクリーンジェットを備える請求項７に記載のディスプレイシステム。
【請求項２３】
前記供給水は、少なくとも０．３４５ＭＰａ（５０ｐｓｉ）の圧力にあり、前記水の平面シートは、前記ノズルに近接する前記平面シートのベースで測定されると少なくとも７６．２ｍｍ（３インチ）の厚さを有する請求項２２に記載のディスプレイシステム。
【請求項２４】
前記水液滴の少なくとも５０％は、１ミリメートル未満の外径を有する請求項２２に記載のディスプレイシステム。